(57)【要約】【課題】挿入により嵌合する部位同士でレセプタクルとプラグとの嵌合状態を保持するとともに、プラグに挿入軸方向以外から荷重がかかる際にプラグがレセプタクルから容易に外れるようにすること。【解決手段】プラグ１００は、上下面１１４ｂ、１１４ｃに複数のプラグ端子１２０がそれぞれ配設された挿入突起部１１４を有する。弾性変形によって挿入突起部１１４の上下面１１４ｂ、１１４ｃのそれぞれから複数のプラグ端子１２０が出没自在に突出して設けられた挿入突起部１１４は、レセプタクル２００の挿入口２１２に挿入された際に、複数のプラグ端子１２０がレセプタクル２００に設けられた複数のレセプタクル端子２２０を押圧することによってレセプタクル２００に着脱自在に保持され、挿入方向以外の方向から荷重がかかる際にレセプタクル２００から抜脱する。【選択図】図１
2010073353.tif 000002
【特許請求の範囲】
【請求項１】
表裏面に複数のプラグ端子がそれぞれ配設されたプラグ挿入部を有するプラグと、
プラグ挿入口から前記プラグ挿入部が挿抜され、前記プラグ挿入口を介して前記プラグ挿入部が挿入された際に、前記プラグ挿入口内部で、前記プラグ挿入部の表裏面のそれぞれに対向する一対の内壁面にそれぞれ配設されたレセプタクル端子が前記プラグ挿入部の前記プラグ端子に電気的に接続するレセプタクルと、
を備え、
前記複数のプラグ端子は、前記プラグ挿入部の表裏面のそれぞれから弾性変形によって出没自在に突出して、前記プラグ挿入部に設けられ、
前記プラグ挿入部は、前記プラグ挿入口に挿入された際に、前記表裏面の前記複数のプラグ端子が、前記一対の内壁面でそれぞれ対応する前記複数のレセプタクル端子を押圧することによって前記レセプタクルに着脱自在に保持され、挿入方向以外の方向から荷重がかかる際に前記レセプタクルから抜脱する、
インタフェースコネクタ。
【請求項２】
前記プラグ挿入口は、前記一対の内壁面を備えるレセプタクル本体の前面に、前記一対の内壁面間に連続して形成され、
前記前面は、前記表裏面のそれぞれに平行な外縁を有し、
前記プラグは、前記プラグ挿入部が突出して設けられ、前記プラグ挿入部が前記プラグ挿入口に挿入された際に前記レセプタクル本体の前面に当接するプラグ本体を備え、
前記プラグ挿入部の表裏面は、それぞれ前記プラグ挿入部が前記プラグ挿入口に挿入された際に、側面視して、前記レセプタクル本体の前面における前記外縁のうち挿入軸を挟んで離間する外縁を中心とし、対向する前記プラグ挿入口の開口縁を通る円周の内側で当該円周に沿って形成された湾曲面であることを特徴とする、
請求項１記載のインタフェースコネクタ。
【請求項３】
プラグ挿入口を介してレセプタクルに挿抜自在に挿入されるプラグ挿入部と、前記プラグ挿入部が前記プラグ挿入口を介して前記レセプタクルに挿入された際に、前記レセプタクルの有する一対の対向する内壁面のそれぞれに設けられた複数のレセプタクル端子と電気的に接続されるプラグ端子とを有するプラグであって、
前記複数のプラグ端子は、前記プラグ挿入部に、前記プラグ挿入部が前記レセプタクルに挿入された際に前記一対の対向する内壁面とそれぞれ対向する表裏面のそれぞれから、弾性変形によって出没自在に突出して設けられ、
前記プラグ挿入部は、前記プラグ挿入口に挿入された際に、前記表裏面の前記複数のプラグ端子が、前記一対の内壁面でそれぞれ対応する前記複数のレセプタクル端子を押圧することによって前記レセプタクルに着脱自在に保持され、挿入方向以外の方向から荷重がかかる際に前記レセプタクルから抜脱する、
プラグ。
【発明の詳細な説明】
【技術分野】
【０００１】
本発明は、電子機器のインタフェースとして用いられるインタフェースコネクタに関するものであり、特に、印刷配線板に搭載するレセプタクルとレセプタクルに接続されるプラグ及びこれらレセプタクル及びプラグを有するインタフェースコネクタ及びプラグに関する。
【背景技術】
【０００２】
従来、携帯型電子機器等の電子機器において、電子機器に電力を供給する充電器等の外部機器との接続には、一般的にプラグと、プラグを挿抜自在とする挿入口を有するレセプタクルとを備えるインタフェースコネクタが用いられている。インタフェースコネクタでは、レセプタクルの挿入口にプラグが挿入されることによって、プラグ側のコンタクトとレセプタクル側のコンタクトとが電気的接続される。
【０００３】
例えば、特許文献１では、ハウジングの底壁から立ち上がるプラグ部を有するプラグタイプの電気コネクタ（以下「プラグ」という）と、プラグ部が挿入される挿入口を有するレセプタクルタイプの電気コネクタ（以下「レセプタクル」という）とが開示されている。特許文献１では、底壁から立ち上がるプラグ部において、レセプタクルへの挿入方向と直交して長手方向に延在する両側壁面に、複数のプラグ端子が長手方向に並んで整列されている。これらプラグ端子は、両側壁面のそれぞれから突出して設けられ、弾性変形して両側面に接近する方向に変形自在である。また、レセプタクルでは、挿入口を仕切るハウジングの壁面のうち、当該挿入口に挿入されたプラグ部の両側面に対向する側壁面に、複数のプラグ端子に個別に対応するレセプタクル端子が複数並んで配設されている。
【０００４】
レセプタクルにおいてプラグ部が挿入口に挿入されると、プラグ端子は弾性変形して、挿入口内に並設されたレセプタクル端子に圧接する。これにより、プラグ及びレセプタクルは、挿入口にプラグ部を十分挿入した状態でレセプタクル端子にプラグ端子を圧接して嵌合し、インターフェースを形成する。
【０００５】
また、インタフェースでは、プラグ部の挿入口への嵌合深さを深くして、プラグ部の挿入時に、プラグ端子がレセプタクル端子を摺動する距離を確保している。この摺動により互いの接触部分をセルフクリーニングさせている。
【特許文献１】特開平１１−３５４２２９号公報
【発明の開示】
【発明が解決しようとする課題】
【０００６】
ところで、特許文献１に示すように、従来のインタフェースでは、プラグ端子とレセプタクル端子との接続状態は、プラグのプラグ部とプラグ部を挿入したレセプタクルのハウジングとの嵌合によって保持される。
【０００７】
これらプラグとレセプタクルとが嵌合した状態においてプラグに挿入軸方向以外の方向から強い荷重がかかる場合では両者は外れ難い。このため、プラグに挿入方向以外の方向から強い荷重がかかると、嵌合部分を構成するプラグ部とレセプタクルのプラグ部を囲む部位に荷重がかかり、嵌合部分が破損する可能性がある。
【０００８】
本発明はかかる点に鑑みてなされたものであり、挿入により嵌合する部位どうしでレセプタクルとプラグとの嵌合状態を保持するとともに、プラグに挿入軸方向以外から荷重がかかる際にプラグがレセプタクルから容易に外れるインタフェースコネクタ及びプラグを提供することを目的とする。
【課題を解決するための手段】
【０００９】
本発明の第１の態様のインタフェースコネクタは、表裏面に複数のプラグ端子がそれぞれ配設されたプラグ挿入部を有するプラグと、プラグ挿入口から前記プラグ挿入部が挿抜され、前記プラグ挿入口を介して前記プラグ挿入部が挿入された際に、前記プラグ挿入口内部で、前記プラグ挿入部の表裏面のそれぞれに対向する一対の内壁面にそれぞれ配設されたレセプタクル端子が前記プラグ挿入部の前記プラグ端子に電気的に接続するレセプタクルとを備え、前記複数のプラグ端子は、前記プラグ挿入部の表裏面のそれぞれから弾性変形によって出没自在に突出して前記プラグ挿入部に設けられ、前記プラグ挿入部は、前記プラグ挿入口に挿入された際に、前記表裏面の前記複数のプラグ端子が、前記一対の内壁面でそれぞれ対応する前記複数のレセプタクル端子を押圧することによって前記レセプタクルに着脱自在に保持され、挿入方向以外の方向から荷重がかかる際に前記レセプタクルから抜脱する構成を採る。
【００１０】
本発明の第２の態様のプラグは、プラグ挿入口を介してレセプタクルに挿抜自在に挿入されるプラグ挿入部と、前記プラグ挿入部が前記プラグ挿入口を介して前記レセプタクルに挿入された際に、前記レセプタクルの有する一対の対向する内壁面のそれぞれに設けられた複数のレセプタクル端子と電気的に接続されるプラグ端子とを有するプラグであって、前記複数のプラグ端子は、前記プラグ挿入部に、前記プラグ挿入部が前記レセプタクルに挿入された際に前記一対の対向する内壁面とそれぞれ対向する表裏面のそれぞれから、弾性変形によって出没自在に突出して設けられ、前記プラグ挿入部は、前記プラグ挿入口に挿入された際に、前記表裏面の前記複数のプラグ端子が、前記一対の内壁面でそれぞれ対応する前記複数のレセプタクル端子を押圧することによって前記レセプタクルに着脱自在に保持され、挿入方向以外の方向から荷重がかかる際に前記レセプタクルから抜脱する構成を採る。
【発明の効果】
【００１１】
本発明によれば、挿入により嵌合する部位どうしでレセプタクルとプラグとの嵌合状態を保持するとともに、プラグに挿入軸方向以外から荷重がかかる際にプラグがレセプタクルから容易に外れるインタフェースタを実現できる。
【発明を実施するための最良の形態】
【００１２】
以下、本発明の実施の形態について、図面を参照して詳細に説明する。
【００１３】
図１は、本発明の一実施の形態に係るインタフェースコネクタ１０を示す図であり、インタフェースコネクタ１０を構成するプラグコネクタ１００とレセプタクルコネクタ２００との嵌合状態を示す要部断面図である。なお、以下では、インタフェースコネクタ１０において、プラグコネクタ１００では、レセプタクルコネクタ２００に挿入する方向を前側とし、レセプタクルコネクタ２００に対して抜き出す方向側を背面側とする。このプラグコネクタ１００における上下左右は、挿入方向側から見た上下左右を意味する。また、レセプタクルコネクタ２００では、接続相手であるプラグコネクタ１００が挿入される挿入口側を前面側とし、挿入方向側を背面側とする。このレセプタクルコネクタ２００における上下左右は、挿入口側から見た上下左右を意味する。
【００１４】
図１に示すインタフェースコネクタ１０は、プラグ本体１１２からプラグ部として突設された挿入突起部１１４を備えるプラグコネクタ（以下「プラグ」という）１００と、挿入口２１２からプラグ１００の挿入突起部１１４が挿入されるレセプタクルハウジング２１０を有するレセプタクルコネクタ（以下「レセプタクル」という）２００とを有する。
【００１５】
図１では、プラグ１００の挿入突起部１１４をレセプタクル２００の挿入口２１２から挿入して、プラグ１００とレセプタクル２００とが嵌合し、プラグ１００のプラグ端子１２０とレセプタクル２００のレセプタクル端子２２０とを電気的に接続した状態を示している。
【００１６】
図２は、図１に示すインタフェースコネクタ１０におけるプラグコネクタ（プラグ）１００の斜視図、図３は同プラグコネクタ（プラグ）１００の底面図、図４は、同プラグコネクタ（プラグ）１００の右側面図である。
【００１７】
図２及び図３に示すように、プラグ１００では、横長の直方体状をなすプラグ本体１１２と、プラグ本体１１２の前面１１２ａから前面側に突出して設けられた挿入突起部１１４とを有するプラグハウジング１１０を備える。
【００１８】
プラグハウジング１１０は、絶縁性材料により成形されている。また、プラグハウジング１１０は、プラグ本体１１２の前面１１２ａにおいて挿入突起部１１４を挟む位置で、挿入突起部１１４と同様に突出して設けられ、挿入突起部１１４と同側面形状を有するガイド突起部１１６を有する（図２〜図４参照）。
【００１９】
プラグハウジング１１０は、レセプタクル２００に設けられた複数のレセプタクル端子２２０にそれぞれ接続される複数のプラグ端子１２０を有する。
【００２０】
図５は、同プラグコネクタの正面図であり、図６は図５のＸ−Ｘ線矢視断面図である。
【００２１】
図５に示すように、プラグ端子１２０は、レセプタクル２００のレセプタクル端子２２０と接触する接点部１２２を、挿入突起部１１４から挿入突起部１１４の両側面からそれぞれ千鳥状に突出させて、挿入方向に沿ってそれぞれ配設されている。
【００２２】
ここでは、プラグ端子１２０は、図６に示すようにプラグハウジング１１０の内部において挿入突起部１１４とプラグ本体１１２の内部を前後方向で連通する中空部内に、プラグ本体１１２の背面側から圧入することによって取り付けられている。
【００２３】
プラグ端子１２０は、可撓性を有し弾性変形自在な導電部材より形成されている。接点部１２２は、図６に示すように、プラグ本体１１２の基端部側から挿入方向に延在する揺動アーム（以下、「アーム」という）１２４の先端に形成されている。アーム１２４は、基端部側でプラグ本体１１２の下面から立ち上がる立ち上がり片１２６の先端から延出されている。立ち上がり片１２６の基端部には、アーム１２４と略平行に挿入方向側に延出する固定片１２８が設けられ、固定片１２８はプラグ本体１１２に圧入により固定されている。
【００２４】
ここでは、プラグ端子１２０は金属板を加工して、接点部１２２、アーム１２４、立ち上がり片１２６及び固定片１２８を形成してなる板状をなしている。また、立ち上がり片１２６と固定片１２８との接合部分には、プラグ本体１１２の背面側に突出するリード部１２９が設けられている。
【００２５】
プラグ端子１２０は、厚み方向をプラグハウジング１１０の左右方向に向けて、長手方向（横方向）に複数独立して並べて配置され、接点部１２２を、前側から見て千鳥状で且つ横並びで位置するように挿入突起部１１４に位置させている。
【００２６】
すなわち、複数のプラグ端子１２０は、プラグ本体１１２の上下面部に、アーム１２４を上下で逆になるようにして互い違いに長手方向に圧入することにより取り付けられている（図５参照）。
【００２７】
アーム１２４は、図６に示すように、固定片１２８と立ち上がり片１２６とによって、プラグ本体１１２内で、接点部１２２側を自由端として片持ち状態で支持されている。これによりアーム１２４は、プラグ本体１１２の背面側から挿入突起部１１４の先端側に延出し、弾性変形して固定片１２８から離間する方向及び固定片１２８に接近する方向に移動自在に配設されている。
【００２８】
このアーム１２４の先端の接点部１２２は、ここでは「山」型をなし、山型の頂点部分が挿入突起部１１４の上下面１１４ｂ、１１４ｃにそれぞれ形成された開口部１１４ａを介して出没自在に突出している。つまり、プラグ端子１２０の接点部１２２は、挿入突起部１１４の内部から挿入突起部１１４の上下面（両側面）１１４ｂ、１１４ｃを介して、外方（上下方向）に進退自在に突出して取り付けられている。
【００２９】
接点部１２２は、プラグ１００をレセプタクル２００に挿入した際にレセプタクル２００のレセプタクル端子２２０に接触する。
【００３０】
また、接点部１２２は、挿入突起部１１４の上下面（両側面）と略同一面まで移動でき、ここでは、アーム１２４の変形によって、突出する上面１１４ｂ又は下面１１４ｃよりも内側に移動自在となっている。
【００３１】
挿入突起部１１４の上下面１１４ｂ、１１４ｃは、先端側に向かって漸次接近する湾曲面である。ここでは、上面１１４ｂは、図１に示すように、側面視して、プラグ１００がレセプタクル２００に当接する部分である下側縁部１４０を中心に、挿入口２１２の内側の上側縁部２１２ａを通る円（想像線Ａで示す）の円周の内側で、当該円周に沿って当該円周の内側形成されている。下側縁部１４０は、レセプタクル２００において挿入口２１２が形成されたレセプタクルハウジング２１０の前面において、上下面１１４ｂ、１１４ｃと平行な外縁である。
【００３２】
一方、下面１１４ｃは、図１に示すように、側面視して、プラグ１００がレセプタクル２００に当接する部分である上側縁部１５０を中心に、挿入口２１２の内側の下側縁部２１２ｂを通る円（想像線Ｂで示す）の円周の内側で当該円周に沿って形成されている。上側縁部１５０は、レセプタクル２００において挿入口２１２が形成されたレセプタクルハウジング２１０の前面において、上下面１１４ｂ、１１４ｃと平行な外縁である。
【００３３】
このように挿入突起部（プラグ挿入部）１１４の上下面（表裏面）１１４ｂ、１１４ｃは、それぞれ挿入突起部１１４がプラグ挿入口２１２に挿入された際に、側面視して、レセプタクルハウジング２１０の前面における外縁（下側縁部１４０、上側縁部１５０）のうち挿入軸を挟んで離間する外縁（下側縁部１４０、上側縁部１５０）を中心とし、対向する挿入口２１２の開口縁部２１２ａ、２１２ｂを通る円Ａ、Ｂの円周の内側で、当該円周に沿って形成された湾曲面となっている。
【００３４】
また、挿入突起部１１４の両側面１１４ｄ、１１４ｅは、図３及び図５に示すように、それぞれ先端側に向かって漸次接近する湾曲面である。
【００３５】
右側面１１４ｄは、図３に示すように、プラグ本体１１２の前面１１２ａにおける左側縁１１２ｂを中心とし、挿入口２１２（図１参照）の内側右側縁部を通る円の円周に沿って形成されている。また、左側面１１４ｅは、プラグ本体１１２の前面１１２ａにおける右側縁１１２ｃを中心とし、挿入口２１２（図１参照）の内側左側縁部を通る円の円周に沿って形成されている。
【００３６】
なお、挿入突起部１１４の左右に離間して配置されたガイド突起部１１６の上下面及び左右側面は、挿入突起部１１４の説明において挿入口２１２をガイド挿入口に変えて、挿入突起部１１４の上下面及び左右側面と略同様に湾曲する湾曲面として形成されている。
【００３７】
図７は、本発明の一実施の形態に係るインタフェースコネクタにおけるレセプタクルコネクタの上面図であり、図８は、同レセプタクルコネクタの正面図、図９は、図８のＹ−Ｙ線矢視断面図である。
【００３８】
図７に示すレセプタクル２００は、左右に長尺の横長直方体状のレセプタクルハウジング２１０及びレセプタクル端子２２０を備える。レセプタクルハウジング２１０は、前面２１１（図８参照）に形成され、長手方向（横方向）に沿って延在する挿入口２１２と、挿入口２１２を挟んで配置されたガイド挿入口２１４とを介して前方に開口する受容部２１２ｃ及びガイド受容部２１４ａを備える。
【００３９】
レセプタクルハウジング２１０では、受容部２１２ｃは挿入突起部１１４に対応して形成され、プラグ１００の接続時に、挿入突起部１１４（図１〜図３、図５、図６参照）を内部に収容する。また、ガイド受容部２１４ａはガイド突起部１１６に対応して形成され、プラグ１００の接続時に、ガイド突起部１１６（図１〜図３、図５、図６参照）を内部に収容する。
【００４０】
図７〜図９に示すレセプタクル２００は、プリント基板に実装される面を底面２０２（図８参照）とし、プラグ１００の接続方向を実装されるプリント基板の延在方向と略平行な方向となっている。
【００４１】
レセプタクルハウジング２１０の前面２１１は、プラグ１００の前面形状と略同様の外形を有する。前面２１１は、挿入口２１２及びガイド挿入口２１４に、プラグ１００の挿入突起部１１４及びガイド突起部１１６が挿入された際に、挿入突起部１１４及びガイド突起部１１６の周囲に位置するプラグ本体１１２の前面部分に当接する。
【００４２】
レセプタクル端子２２０は、挿入されるプラグ１００の挿入突起部１１４が備えるプラグ端子１２０に個別に対応してレセプタクル２００に設けられ、正面視して挿入口２１４を仕切る上下面部２１６、２１８（図８及び図９参照）にそれぞれ、横方向に千鳥状になるように配設されている。
【００４３】
ここでは、レセプタクル端子２２０は、図９に示すように、レセプタクルハウジング２１０の上面部２１６及び下面部２１８のそれぞれの内壁面に、先端側の接点部２２２を挿入方向に延在して位置させ、後端部２２４をレセプタクルハウジング２１０の背面部２１９から外方に突出させている。
【００４４】
レセプタクル端子２２０の接点部２２２は、レセプタクルハウジング２１０の上面部２１６の内壁面及び下面部２１８の内壁面のそれぞれに、挿入口２１２側から挿入方向に沿って延在する細長状板状である。レセプタクル端子２２０の接点部２２２において、挿入口２１２側の端部である先端部２２０ａは、取り付けられる面部側に折り曲げられ、内側の縁部にアールがつけられている（図９参照）。本実施の形態のレセプタクル２００では、レセプタクル端子２２０の接点部２２２において、アールが付けられた先端部２２０ａと上面部２１６及び下面部２１８に沿って受容部２１２ｃ内で露出する板状部分との境界部分が挿入口２１２の上側縁部２１２ａ、下側縁部２１２ｂに相当している。
【００４５】
これにより、受容部１２２ｃに挿入口２１２を介してプラグ１００の挿入突起部１１４が挿入される際に、プラグ端子１２０は、個別に対応するレセプタクル端子２２０における接点部２２２のアール部分である先端部２２０ａを摺動して奥側に案内され、弾性変形によって接点部２２２の板状部分を押圧した状態で保持される。
【００４６】
なお、本実施の形態では、レセプタクルハウジング２１０の上下面部２１６、２１８にそれぞれ配設されたレセプタクル端子２２０のリード部２２４は、レセプタクルハウジング２１０の背面部２１９において下端側から底面に沿って外方に延出した構成としたが、その配置位置は、適宜変更可能である。
【００４７】
例えば、プラグ１００の挿入方向を、プリント基板に対して直交する方向にする場合、図１０に示すレセプタクル２００Ａの構成にしてもよい。なお、図１０に示すレセプタクル２００Ａは、レセプタクル２００と比較して、レセプタクル端子２２０のリード部２２４の導出方向のみ異なりその他の構成は同様である。
【００４８】
このレセプタクル２００Ａでは、前面に挿入口２１２が形成されたレセプタクルハウジング２１０Ａの背面２０１の上下辺部から、レセプタクル端子２２０のリード部２２４を、それぞれ上下で互いに離間する方向に導出させている。すなわち、レセプタクル２００Ａでは、上面部２１６に配置されたレセプタクル端子２２０は、リード部２２４を上方に向かって背面２０１と平行に導出されている。また、下面部２１８に配置されたレセプタクル端子２２０は、リード部２２４を下方に向かって背面２０１と平行に導出されている。これによりレセプタクル２００Ａは、背面２０１をプリント基板上に載置して、リード部２２４をプリント基板の配線パターンに接続してプリント基板に実装される。
【００４９】
次に、プラグ１００とレセプタクル２００との着脱動作について説明する。
【００５０】
プラグ１００の挿入突起部１１４及びガイド突起部１１６をそれぞれ、レセプタクル２００の挿入口２１２及びガイド挿入口２１４からレセプタクル内部に挿入する。
【００５１】
挿入突起部１１４が受容部２１２ｃに挿入される際に、挿入突起部１１４に配設された複数のプラグ端子１２０は弾性変形して、レセプタクルハウジングの上下面部に配置された複数のレセプタクル端子２２０に摺動しつつ受容部内に挿入される。
【００５２】
プラグ端子１２０は、挿入突起部１１４の上下面からそれぞれ上下方向に突出して配置され、受容部内では、受容部を上下で仕切る上下面部におけるレセプタクル端子２２０のそれぞれを上下方向で押圧した状態で配置される。
【００５３】
これにより、挿入突起部１１４は、弾性変形したプラグ端子１２０の復元力によってレセプタクルハウジングに嵌合した状態で保持され、プラグ自体がプラグ本体１１２の前面をレセプタクルのハウジングの前面に当接させた状態で、レセプタクルに保持される。
【００５４】
これによりインタフェースコネクタ１０では、プラグ１００及びレセプタクルは電気的に接続された状態で保持される。
【００５５】
なお、プラグ本体１１２の前面において挿入突起部１１４の両側に配置されたガイド突起部１１６は、挿入突起部１１４を、挿入口から受容部に好適に挿入されるように案内する。
【００５６】
このようにプラグ１００とレセプタクルとが嵌合してなるインタフェースコネクタ１０において、プラグ１００に挿入方向以外の外力が加わる場合について説明する。
【００５７】
例えば、レセプタクルを二次電池が搭載された音楽及び映像視聴用の携帯型端末に装備し、このレセプタクルに、充電器から導出されるケーブルの先端に設けたプラグ１００を嵌合して、充電器と二次電池とを電気的に接続した場合を例に説明する。
【００５８】
このような接続状態、つまりプラグ１００とレセプタクルとの嵌合状態において、例えば、プラグ１００に接続されたケーブルが引っ張られる場合、レセプタクルとの嵌合部分には挿入方向とは異なる方向の外力が加わる。
【００５９】
プラグのレセプタクルへの挿入による嵌合深さを深くして、挿入方向とは異なる方向で嵌合部分に加わる外力によって外れにくくした従来の構成では、インタフェースコネクタ１０を介して接続されたプラグ１００が引っ張られると、レセプタクルを介して机上等に載置した電子機器自体も引っ張られ、机上等から落下する恐れがある。
【００６０】
本実施の形態では、レセプタクル２００に嵌合したプラグ１００に、挿入方向とは異なる方向で外力が加わる場合、プラグ１００は挿入軸上の位置から先端側を中心に回動する方向に移動する。具体的に、プラグ１００は、レセプタクル２００の前面２１１に当接する挿入突起部１１４を囲むプラグ本体１１２の前面１１２ａにおける部位を中心に、挿入軸と交差する方向に回動する。
【００６１】
すると、挿入突起部１１４も受容部２１２ｃ内で基端部側を中心に回動し、レセプタクルハウジング２１０の受容部２１２ｃ内でレセプタクルハウジング２１０との嵌合状態から開放されて受容部２１２ｃから抜ける。
【００６２】
図１１及び図１２は、レセプタクルに嵌合するプラグに上側へ引っ張る外力が加わる際のプラグの動作と、レセプタクルに嵌合するプラグに下側へ引っ張る外力が加わる際のプラグの動作との説明に供するインタフェースコネクタの要部断面図である。
【００６３】
図１１に示すように、レセプタクル２００に嵌合したプラグ１００のプラグ本体１１２が先端側を中心に挿入軸よりも上側に移動しようとする。これに伴い、挿入突起部１１４は、プラグ１００がレセプタクル２００に当接した部分である上側縁部１５０を中心に、挿入口２１２の内側の下側縁部２１２ｂを通る円Ｂの円周の内側で当該円周に沿って回動する。すると、受容部２１２ｃ内において、挿入突起部１１４の下面１１４ｃから突出するプラグ端子（図示省略）は、下面部２１８に配設されたレセプタクル端子２２０に押し付けられて弾性変形し、側面視して下面１１４ｃと略面一となる位置に変位していく。そして、挿入突起部１１４の下面１１４ｃは、下側縁部２１２ｂに沿って移動していき、挿入突起部１１４自体は受容部２１２ｃから抜ける。
【００６４】
また、図１２に示すように、レセプタクル２００に嵌合したプラグ１００のプラグ本体１１２が先端側を中心に挿入軸よりも下側に移動しようとする場合、挿入突起部１１４は、プラグ１００がレセプタクル２００に当接した部分である下側縁部１４０を中心に、挿入口２１２の内側の上側縁部２１２ａを通る円Ａの円周の内側で当該円周に沿って回動する。すると、受容部２１２ｃ内において、挿入突起部１１４の上面１１４ｂから突出するプラグ端子（図示省略）は、上面部２１６に配設されたレセプタクル端子２２０に押し付けられて弾性変形し、側面視して上面１１４ｂと略面一となる位置に変位していく。そして、挿入突起部１１４の上面１１４ｂは、下側縁部２１２ｂに沿って移動していき、挿入突起部１１４自体は受容部２１２ｃから抜ける。
【００６５】
このように本実施の形態のインタフェースコネクタ１０は、上下面１１４ｂ、１１４ｃに複数のプラグ端子１２０がそれぞれ配設された挿入突起部１１４を有するプラグ１００を有する。また、プラグ挿入口２１２から挿入突起部１１４が挿抜されるレセプタクル２００を有する。レセプタクル２００では、挿入口２１２を介して挿入突起部１１４が挿入された際に、挿入口２１２内部で挿入突起部１１４の上下面１１４ｂ、１１４ｃのそれぞれに対向する一対の内壁面を上下面部２１６、２１８が構成する。上下面部２１６、２１８にはそれぞれレセプタクル端子２２０が配設され、挿入突起部１１４のプラグ端子１２０に電気的に接続する。また、複数のプラグ端子１２０は、挿入突起部１１４に、弾性変形によって挿入突起部１１４の上下面１１４ｂ、１１４ｃのそれぞれから出没自在に突出して設けられている。挿入突起部１１４は、挿入口２１２に挿入された際に、上下面１１４ｂ、１１４ｃの複数のプラグ端子１２０が、一対の内壁面でそれぞれ対応する複数のレセプタクル端子２２０を押圧することによってレセプタクル２００に着脱自在に保持される。一方、挿入口２１２に挿入された挿入突起部１１４は、挿入方向以外の方向から荷重がかかる際にレセプタクル２００から抜脱する。
【００６６】
すなわち、インタフェースコネクタ１０では、レセプタクル２００に嵌合されたプラグ１００に挿入軸方向以外の方向に負荷がかかる場合、又は、レセプタクル２００に嵌合されたプラグ１００を挿入軸方向以外の方向から力を加えて外す場合、プラグ端子１２０が受容部２１２ｃ及び挿入口２１２の開口縁である上側縁部２１２ａで干渉することがなく、レセプタクル端子２２０への押圧状態が解除される。これにともない挿入突起部１１４は挿入口から抜けて、プラグ１００とレセプタクルとの嵌合状態が解除され、レセプタクルに対してプラグ１００が容易に抜ける。
【００６７】
なお、本実施の形態のインタフェースコネクタ１０では、プラグ１００は、プラグ本体１１２の前面に、挿入突起部１１４の両側に、ガイド突起部１１６を設け、レセプタクルにはプラグ１００との嵌合時に、ガイド突起部１１６が挿入されるガイド挿入口を設けた構成としたが、これらガイド突起部１１６及びガイド挿入口を設けない構成としてもよい。
【００６８】
また、レセプタクル２００へプラグ１００を挿入する際に、レセプタクル端子２２０にプラグ端子１２０が摺動した後で、レセプタクルとプラグ１００の嵌合を保持する嵌合保持力を確保している。
【００６９】
また、レセプタクル２００からプラグ１００を抜く際にレセプタクル端子２２０にプラグ端子１２０は摺動する。
【００７０】
このように、レセプタクル２００に対するプラグ１００の挿抜に伴い互いの端子１２０、２２０同士は摺動し、両者の間のゴミ等を除去する（セルフクリーニングを行う）ことができ接触状態の安定性を確保することができる。
【００７１】
以上、本発明の一実施の形態について説明した。なお、上記本発明は、本発明の精神を逸脱しない限り、種々の改変をなすことができ、そして本発明が該改変させたものに及ぶことは当然である。
【産業上の利用可能性】
【００７２】
本発明に係るインタフェースコネクタ及びプラグは、挿入により嵌合する部位どうしにより嵌合状態を保持するとともに、挿入軸方向以外から荷重がかかる際に容易にプラグがレセプタクルから抜脱される効果を有し、インタフェースコネクタとして有用である。
【図面の簡単な説明】
【００７３】
【図１】本発明の一実施の形態に係るインタフェースコネクタを示す図
【図２】図１に示すインタフェースコネクタにおけるプラグコネクタの斜視図
【図３】同プラグコネクタの底面図
【図４】同プラグコネクタの右側面図
【図５】同プラグコネクタの正面図
【図６】図５のＸ−Ｘ線矢視断面図
【図７】本発明の一実施の形態に係るインタフェースコネクタにおけるレセプタクルコネクタの上面図
【図８】同レセプタクルコネクタの正面図
【図９】図８のＹ−Ｙ線矢視断面図
【図１０】本発明の一実施の形態に係るインタフェースコネクタにおけるレセプタクルコネクタの変形例を示す要部断面図
【図１１】レセプタクルに嵌合するプラグに上側へ引っ張る外力が加わったプラグの動作の説明に供するインタフェースコネクタの要部断面図
【図１２】レセプタクルに嵌合するプラグに下側へ引っ張る外力が加わったプラグの動作の説明に供するインタフェースコネクタの要部断面図
【符号の説明】
【００７４】
１０  インタフェースコネクタ
１００  プラグ
１１０  プラグハウジング
１１２  プラグ本体
１１４  挿入突起部
１１４ｂ  上面
１１４ｃ  下面
１１６  ガイド突起部
１２０  プラグ端子
１２２  接点部
１２４  アーム
１４０  下側縁部
１５０  上側縁部
２００、２００Ａ  レセプタクル
２０１  背面
２１０、２１０Ａ  レセプタクルハウジング
２１１  前面
２１２  挿入口
２１２ａ  上側縁部
２１２ｂ  下側縁部
２１４  ガイド挿入口
２１６  上面部
２１８  下面部
２２０  レセプタクル端子
【図１】
2010073353.tif 000003
【図２】
2010073353.tif 000004
【図３】
2010073353.tif 000005
【図４】
2010073353.tif 000006
【図５】
2010073353.tif 000007
【図６】
2010073353.tif 000008
【図７】
2010073353.tif 000009
【図８】
2010073353.tif 000010
【図９】
2010073353.tif 000011
【図１０】
2010073353.tif 000012
【図１１】
2010073353.tif 000013
【図１２】
2010073353.tif 000014